(57)【要約】【課題】  本発明はＬＥＤモジュールへの過電流に対する保護対策も実現できる電源装置及び照明器具を提供することを目的とする。【解決手段】  一対の出力端５４、５５と、この出力端間５４、５５に並列接続した出力コンデンサ２６とを有する直流電源に発光素子モジュール５６、７５が接続される。この発光素子モジュール５６、７５への過電流を抑制する過電流抑制手段が出力コンデンサ２６と出力端５４との間又は発光素子モジュール５６に設けられている。【選択図】図７
2012165642.tif 000002
【特許請求の範囲】
【請求項１】
一対の出力端と、この出力端間に並列接続した出力コンデンサとを有する直流電源と；
直流電源の出力端間に接続される一対の入力端と有し、この入力端子間に発光素子が接続された発光素子モジュールと；
出力コンデンサの一方端と、この一方端と接続される出力端子との間に配設される、又は直流電源の一方の出力端に接続される発光モジュールの一方の入力端と発光素子との間に配設された、発光素子モジュールへ侵入する過電流を抑制する過電流抑制手段と；
を具備することを特徴とする電源装置。
【請求項２】
請求項１記載の電源装置と；
電源装置を有する器具本体と；
を具備したことを特徴とする照明器具。
【発明の詳細な説明】
【技術分野】
【０００１】
本発明は、例えば発光ダイオードなどの発光素子の駆動に最適な電源装置及び照明器具に関するものである。
【背景技術】
【０００２】
最近、発光ダイオードなどの半導体発光素子の電源として、スイッチング手段を用いた直流の電源装置が多く用いられている。
【０００３】
そして、この種の電源装置として、特許文献１に開示されるように商用電源などの低周波交流を全波整流回路により全波整流するとともに及び平滑コンデンサで平滑化して直流に変換し、この直流出力をスイッチング素子や負荷に供給するようにしたものがある。この場合、平滑コンデンサは、直流出力に含まれる高次の電流成分、つまり高調波電流成分について高調波電流規格を満足するような容量に設定されている。
【先行技術文献】
【特許文献】
【０００４】
【特許文献１】特開２００１−３１３４２３号公報
【発明の概要】
【発明が解決しようとする課題】
【０００５】
ところで、半導体発光素子を光源とする照明器具は、半導体発光素子である複数の発光ダイオード（ＬＥＤ）によりＬＥＤモジュールを構成し、このＬＥＤモジュールを電源装置に接続可能にしたものがある。ところが、このような電源装置において、例えばＬＥＤモジュールを交換するため、ＬＥＤモジュールを電源装置から切り離すと、電源装置は通電状態のまま無負荷状態となり発光ダイオードの定格電圧より高い電圧を出力する。このため、この状態からＬＥＤモジュールを電源装置に接続すると、過電流（過渡電流）がＬＥＤモジュールに流入し、この過電流により発光ダイオードなどを破損してしまうことがある。
【０００６】
本発明は上記事情に鑑みてなされたもので、ＬＥＤモジュールへの過電流に対する保護対策も実現できる電源装置及び照明器具を提供することを目的とする。
【課題を解決するための手段】
【０００７】
請求項１記載の発明は、一対の出力端と、この出力端間に並列接続した出力コンデンサとを有する直流電源と；直流電源の出力端間に接続される一対の入力端と有し、この入力端子間に発光素子が接続された発光素子モジュールと；出力コンデンサの一方端と、この一方端と接続される出力端子との間に配設される、又は直流電源の一方の出力端に接続される発光モジュールの一方の入力端と発光素子との間に配設された、ＬＥＤモジュールへ侵入する過電流を抑制する過電流抑制手段と；を具備することを特徴とする。
【０００８】
また、請求項２記載の発明は、請求項１記載の電源装置と；電源装置を有する器具本体と；を具備したことを特徴とする。
【発明の効果】
【０００９】
請求項１記載の発明によれば、過電流に対するＬＥＤモジュールの保護対策を実現できる電源装置を提供できる。
【００１０】
請求項２記載の発明によれば、過電流に対するＬＥＤモジュールの保護対策を実現できる照明器具を提供できる。
【図面の簡単な説明】
【００１１】
【図１】本発明の実施の形態にかかる電源装置が適用される照明器具を示す斜視図。
【図２】本発明の実施の形態にかかる電源装置が適用される照明器具の断面図。
【図３】本発明の参考例の形態にかかる電源装置の概略構成を示す図。
【図４】本発明の第２の参考例の形態にかかる電源装置の概略構成を示す図。
【図５】第２の参考例の形態の変形例の概略構成を示す図。
【図６】本発明の第３の参考例の形態にかかる電源装置の概略構成を示す図。
【図７】本発明の第１の実施の形態の概略構成を示す図。
【図８】本発明の第１の実施の形態の変形例の概略構成を示す図。
【発明を実施するための形態】
【００１２】
以下、本発明の実施の形態を図面に従い説明する。
【００１３】
まず、本発明の電源装置が適用される照明器具について簡単に説明する。図１及び図２において、１は器具本体で、この器具本体１は、アルミニウムのダイカスト製のもので、両端を開口した円筒状をしている。この器具本体１は、内部を仕切り部材１ａ、１ｂにより上下方向に３分割され、下方開口と仕切り部材１ａの間の空間は、光源部２に形成されている。この光源部２には、半導体発光素子としての複数のＬＥＤ２ａと反射体２ｂが設けられている。複数のＬＥＤ２ａは、仕切り部材１ａ下面に設けられた円盤状の配線基板２ｃの円周方向に沿って等間隔に配置され実装されている。
【００１４】
器具本体１の仕切り部材１ａと１ｂの間の空間は電源室３に形成されている。この電源室３は、仕切り部材１ａ上部に配線基板３ａが配置されている。この配線基板３ａには、前記複数のＬＥＤ２ａを駆動するための本発明の電源装置を構成する各電子部品が設けられている。この直流電源装置と複数のＬＥＤ２ａは、リード線４により接続されている。
【００１５】
器具本体１の仕切り板１ｂと上方開口の間の空間は、電源端子室５に形成されている。この電源端子室５は、仕切り板１ｂに電源端子台６が設けられている。この電源端子台６は、電源室３の電源装置に商用電源の交流電力を供給するための端子台で、電絶縁性の合成樹脂で構成されたボックス６ａの両面に電源ケーブル用端子部となる差込口６ｂ、送りケーブル用端子部となる差込口６ｃ及び電源線及び送り線を切り離すリリースボタン６dなどを有している。
【００１６】
図３は、このように構成された照明器具の電源室３に組み込まれる本発明の参考例の電源装置の概略構成を示している。
【００１７】
図３において、１１は交流電源で、この交流電源１１は、不図示の商用電源からなっている。この交流電源１１には、整流手段としての全波整流回路１２の入力端子が接続されている。全波整流回路１２は、交流電源１１からの交流電力を全波整流した直流を発生する。
【００１８】
全波整流回路１２の正負極の出力端子間には、平滑用コンデンサ１３と過電圧吸収手段１７が並列に接続されている。平滑用コンデンサ１３は、全波整流回路１２の出力を平滑化するもので、ここでは、直流出力に含まれる高次の電流成分、つまり高調波電流成分に対応する容量で、高調波電流規格（ＩＥＣ６１０００−２−３（有効電力２５Ｗ以下））を満足させる容量の小さなものが用いられる。過電圧吸収手段１７は、全波整流回路１２の出力側の一方向の電流を通過させる電流通過回路を構成する図示極性のダイオード１４と、充電回路を構成するコンデンサ１５の直列回路と、コンデンサ１５に並列に接続される放電回路を構成するインピーダンス素子、ここでは抵抗１６からなっている。コンデンサ１５は、ダイオード１４を介して充電されるとともに、交流電源１１より全波整流回路１２を介して侵入する雷サージの過電圧を吸収する。ここでは過電圧のサージエネルギーを吸収可能な容量の大きなものが用いられる。抵抗１６は、コンデンサ１５に充電される電荷を常時放電する。
【００１９】
平滑用コンデンサ１３の両端には、フライバックトランスであるスイッチングトランス２３の一次巻線２３ａとスイッチング手段としてのスイッチングトランジスタ２４の直列回路が接続されている。スイッチングトランス２３は、一次巻線２３ａと磁気的結合された二次巻線１３ｂを有している。
【００２０】
スイッチングトランス２３の一次巻線２３ａ両端には、コンデンサ１９と抵抗２０の並列回路と図示極性のダイオード２１の直並列回路からなるスナバ回路２２が接続されている。このスナバ回路２２は、スイッチングトランス２３の一次巻線２３ａに発生するフライバック電圧をコンデンサ１９による充電と抵抗２０の放電により吸収し、スイッチングトランス２３のリーケージインダクタンスにより発生するリンギング電圧をコンデンサ１９により吸収する。
【００２１】
スイッチングトランス２３の二次巻線２３ｂには、整流平滑手段として図示極性のダイオード２５と平滑コンデンサ２６からなる整流平滑回路２７が接続されている。この整流平滑回路２７は、スイッチングトランジスタ２４、スイッチングトランス２３とともに直流出力生成手段を構成し、スイッチングトランス２３の二次巻線２３ｂより発生する交流出力をダイオード２５で整流し、この整流出力を平滑コンデンサ２６により平滑して直流出力として発生する。
【００２２】
整流平滑回路２７の平滑コンデンサ２６両端には、負荷として、半導体発光素子である複数個（図示例では４個）直列に接続された発光ダイオード２８〜３１（図２で述べたＬＥＤ２ａに相当する。）が接続されている。
【００２３】
発光ダイオード２１〜３１の直列回路には、電流検出部３２が直列に接続されている。電流検出部３２は、発光ダイオード２１〜３１に流れる電流を検出し、この検出電流に応じた検出信号を出力する。
【００２４】
電流検出部３２には、制御手段として制御回路３３が接続されている。制御回路３３は、不図示の電源部により駆動されるもので、その動作によりスイッチングトランジスタ２４をオンオフさせてスイッチングトランス２３をスイッチング駆動する。この場合、制御回路３３は、電流検出部３２の検出信号と不図示の基準値とを比較し、この比較結果に基づいてスイッチングトランジスタ２４のオンオフ動作を制御し、発光ダイオード２８〜３１に流れる電流を一定に制御する。
【００２５】
制御回路３３には、調光手段として調光操作部３４が接続されている。調光操作部３４は、発光ダイオード２８〜３１の光量を調整するための調光信号を制御回路３３に入力する。制御回路３３は、調光操作部３４からの調光信号に応じて前記基準値を変更し、この変更した基準値に基づいてスイッチングトランジスタ２４をオンオフ動作させることで、発光ダイオード２８〜３１の光量を、例えば定格の０〜１００％の範囲で調整可能にしている。
【００２６】
次に、このように構成した参考例の形態の作用を説明する。
【００２７】
いま、交流電源１１の交流電力が全波整流回路１２に印加されると、全波整流回路１２で全波整流され、平滑用コンデンサ１３、過電圧吸収手段１７を介してスイッチングトランス２３及びスイッチングトランジスタ２４に供給される。
【００２８】
この場合、平滑用コンデンサ１３は、容量の小さなもので全波整流回路１２の高次の電流成分を含んだ出力を平滑化して高調波電流規格を満足させた直流出力をスイッチングトランス２３及びスイッチングトランジスタ２４に供給する。この場合、過電圧吸収手段１７は、平滑用コンデンサ１３の出力によりダイオード１４を介してコンデンサ１５が充電される。このコンデンサ１５に充電された電荷は、常時、抵抗１６を通して放電されている。
【００２９】
この状態で、制御回路３３によるスイッチングトランジスタ２４のオンオフによりスイッチングトランス２３がスイッチング駆動される。この場合、スイッチングトランジスタ２４のオンでスイッチングトランス２３の一次巻線２３ａに電流を流してエネルギーを蓄積し、スイッチングトランジスタ２４のオフで、一次巻線２３ａに蓄積したエネルギーを二次巻線２３ｂを通して放出する。これにより整流平滑回路２７を介して直流出力が発生し、この直流出力により発光ダイオード２８〜３１が点灯される。
【００３０】
発光ダイオード２８〜３１に流れる電流は、電流検出部３２で検出され、この検出電流に応じた検出信号が制御回路３３に出力される。制御回路３３は、電流検出部３２からの検出信号と不図示の基準値との比較結果に基づいてスイッチングトランジスタ２４のオンオフ動作を制御し、発光ダイオード２８〜３１に流れる電流を一定に制御する。
【００３１】
この状態から、交流電源１１に雷サージが侵入した場合、過電圧が過電圧吸収手段１７のダイオード１４を介してコンデンサ１５に印加される。この場合、コンデンサ１５には、容量の大きなものが用いられるので、過電圧のサージエネルギーは、コンデンサ１５に吸収される。これにより、雷サージの過電圧がスイッチングトランジスタ２４などの回路要素に影響するのを抑制でき、これらの回路要素を雷サージから確実に保護することができる。
【００３２】
したがって、このようにすれば、スイッチングトランジスタ２４のオンオフによりスイッチングトランス２３の二次巻線２３ｂを通して放出されるエネルギーを整流平滑回路２７により直流出力に変換し、この直流出力により発光ダイオード２８〜３１を点灯させるような電源装置であって、交流電源１１の交流電力を整流する全波整流回路１２の出力端子に容量の小さな平滑用コンデンサ１３と、過電圧のサージエネルギーを吸収可能な容量の大きなコンデンサ１５を有する過電圧吸収手段１７をそれぞれ設け、容量の小さな平滑用コンデンサ１３により全波整流回路１２の出力に含まれる高調波電流成分について高調波電流規格を満足させ、容量の大きなコンデンサ１５により交流電源１１より侵入する過電圧を吸収させるようにした。これにより、全波整流回路１２の高次の電流成分を含んだ出力を容量の小さな平滑用コンデンサ１３により平滑化して高調波電流規格を満足させた出力をスイッチングトランジスタ２４側に供給することができる。また、雷サージの過電圧をコンデンサ１５に吸収させることで、過電圧がスイッチングトランジスタ２４などの回路要素に影響するのを抑制でき、これらの回路要素を雷サージから確実に保護することができる。
【００３３】
また、過電圧吸収手段１７は、過電圧発生の有無に関わらず全波整流回路１２の出力側に接続され、常に過電圧吸収のためのコンデンサ１５が充電される構成であるため、雷サージの過電圧発生時に即座に対応することができ確実な過電圧保護が可能になる。つまり、仮に、過電圧発生時のみ動作する構成のものと比べると、この過電圧発生時のみ動作するものでは、構成する素子のばらつきなどにより動作のタイミングが設定とは異なることがあるが、本発明の構成であれば、素子のばらつきに対する考慮も軽減でき確実な過電圧保護を実現できる。  さらに、過電圧吸収手段１７は、ダイオード１４、コンデンサ１５及び抵抗１６から構成され、部品点数が少ない簡単なものなので、電源装置に組み込んでも装置全体の回路構成が複雑になることがなく、電源装置も安価に抑えることができる。
（第２の参考例の形態）
【００３４】
図４は、本発明の第２の参考例の形態にかかる電源装置の概略構成を示すもので、図３と同一部分には同符号を付して説明を省略する。
【００３５】
この場合、平滑用コンデンサ１３に並列接続される過電圧吸収手段３６は、平滑用コンデンサ１３の両端にツェナーダイオード３７とコンデンサ３９の直列回路が接続されるとともに、コンデンサ３９に抵抗３８が並列接続されている。ツェナーダイオード３７は、雷サージの過電圧に対し応動するようにツェナー電圧が設定されている。また、ツェナーダイオード３７とコンデンサ３９の接続点にスイッチング素子であるトランジスタ４０のベースが接続されている。トランジスタ４０は、コレクタが充電回路を構成するコンデンサ４１と放電回路を構成する抵抗４２の並列回路を介してツェナーダイオード３７と平滑用コンデンサ１３の接続点に接続され、エミッタがコンデンサ３９と平滑用コンデンサ１３の接続点に接続されている。トランジスタ４０は、過電圧によりツェナーダイオード３７がオンすると、ツェナーダイオード３７を流れる電流によりオンする。コンデンサ４１は、トランジスタ４０のオンにより印加される過電圧を吸収するもので、ここでは過電圧のサージエネルギーを吸収可能な容量の大きなものが用いられる。
その他は、図３と同一である。
【００３６】
このような過電圧吸収手段３６は、交流電源１１に雷サージが侵入すると、雷サージの過電圧にツェナーダイオード３７が応動する。そして、このツェナーダイオード３７がオンすると、ツェナーダイオード３７からコンデンサ３９に流れる電流によりトランジスタ４０がオンし、過電圧がコンデンサ４１に印加される。この場合、コンデンサ４１には、容量の大きなものが用いられるので、過電圧はコンデンサ４１で吸収される。
【００３７】
したがって、このようにしても、雷サージの過電圧がスイッチングトランジスタ２４などの回路要素に影響するのを抑制でき、これらの回路要素を雷サージから確実に保護することができる。
（変形例）
【００３８】
図５は、第２の参考例の形態に適用される過電圧吸収手段の変形例を示すものである。
【００３９】
この場合、過電圧吸収手段４３は、平滑用コンデンサ１３の両端にツェナーダイオード４４とコンデンサ４６の直列回路が接続され、また、充電回路を構成するコンデンサ４６に放電回路を構成する抵抗４９が並列接続されている。ツェナーダイオード４４は、雷サージの過電圧に対し応動するようにツェナー電圧が設定されている。また、ツェナーダイオード４４とコンデンサ４６の接続点にスイッチング素子であるサイリスタ４７のゲートが接続されている。サイリスタ４７は、アノードにコンデンサ４８と抵抗４９の並列回路を介してツェナーダイオード４４と平滑用コンデンサ１３の接続点が接続され、カソードにコンデンサ４６と平滑用コンデンサ１３の接続点が接続されている。サイリスタ４７は、過電圧によりツェナーダイオード４４がオンすると、ゲートパルスが与えられてオンする。コンデンサ４８は、サイリスタ４７のオンにより印加される過電圧を吸収するもので、ここでは過電圧のサージエネルギーを吸収可能な容量の大きなものが用いられる。
【００４０】
このような過電圧吸収手段４３を用いた場合も、交流電源１１に雷サージが侵入すると、雷サージの過電圧にツェナーダイオード４４が応動する。そして、ツェナーダイオード４４がオンすると、ツェナーダイオード４４からコンデンサ４６に流れる電流によりサイリスタ４７にゲートパルスが与えられてオンし、過電圧がコンデンサ４８に印加される。この場合、コンデンサ４８には、容量の大きなものが用いられるので、過電圧はコンデンサ４８で吸収される。
【００４１】
したがって、このようにしても、雷サージの過電圧がスイッチングトランジスタ２４などの回路要素に影響するのを抑制でき、これらの回路要素を雷サージから確実に保護することができる。
（第３の参考例の形態）
【００４２】
図６は、本発明の第３の参考例の形態にかかる電源装置の概略構成を示すもので、図３と同一部分には同符号を付して説明を省略する。
【００４３】
この場合、過電圧吸収手段５１は、平滑用コンデンサ１３の両端に半導体素子としてＭＯＳＦＥＴ５２を接続している。このＭＯＳＦＥＴ５２は、不図示のツェナーダイオードを内蔵したアバランシェ耐量（サージ耐量）を有するもので、過電圧が印加されると、ツェナーダイオードが動作し、アバランシェ耐量により過電圧のサージエネルギーを吸収する。
その他は、図３と同一である。
【００４４】
このような過電圧吸収手段５１は、交流電源１１に雷サージが侵入すると、過電圧が過電圧吸収手段５１のＭＯＳＦＥＴ５２に印加される。この場合、ＭＯＳＦＥＴ５２は、ツェナーダイオードによるアバランシェ耐量により、過電圧を吸収する。
【００４５】
したがって、このようにすれば雷サージの過電圧のサージエネルギーは、ＭＯＳＦＥＴ５２により吸収できるので、スイッチングトランジスタ２４などの回路要素に達するサージエネルギーを大幅に抑制でき、これら回路要素を雷サージから確実に保護することができる。
（第１の実施の形態）
【００４６】
第１の実施の形態は、ＬＥＤモジュールへの過電流を抑制可能にしたものである。
【００４７】
図７は、本発明の第１の実施の形態の概略構成を示すもので、図３と同一部分には同符号を付して説明を省略する。
【００４８】
この場合、整流平滑回路２７の平滑コンデンサ２６の一方端には出力端子５４、他方端には、電流検出部３２を介して出力端子５５が接続されている。この出力端子５４，５５には、ＬＥＤモジュール５６が、入力端子５７，５８を介して接続可能になっている。ＬＥＤモジュール５６は、入力端子５７、５８の間に、過電流抑制手段５９と、半導体発光素子である複数個（図示例では４個）直列に接続された発光ダイオード６４〜６７が直列に接続されている。過電流抑制手段５９は、入力端子５７と発光ダイオード６４〜６７との間に、抵抗６２とコンデンサ６３の直列回路が接続され、抵抗６２とコンデンサ６３の接続点にスイッチング素子であるトランジスタ６０のベースが接続されている。トランジスタ６０は、コレクタが入力端子５７に接続され、エミッタが抵抗６１を介してコンデンサ６３と発光ダイオード６４の接続点に接続されている。コンデンサ６３は、電源側から流入する過電流を抵抗６２を介して充電する。トランジスタ６０は、抵抗６２とコンデンサ６３の接続点の電位が所定の値に達するとオンし、整流平滑回路２７の出力を抵抗６１を介して発光ダイオード６４〜６７に供給させる。
その他は、図３と同一である。
【００４９】
このような構成において、例えば、ＬＥＤモジュール５６を交換するためＬＥＤモジュール５６を電源側の出力端子５４，５５から切り離し、その後、別のＬＥＤモジュール５６を出力端子５４，５５に接続する場合を説明する。
【００５０】
この場合、ＬＥＤモジュール５６を出力端子５４，５５から切り離すと、電源装置は通電状態のままで無負荷状態にあるため、出力端子５４，５５に発光ダイオード６４〜６７の定格電圧より高い電圧が出力される。
【００５１】
この状態で、新たなＬＥＤモジュール５６を出力端子５４，５５に接続すると、過電流がＬＥＤモジュール５６内に流入する。この過電流は、過電流抑制手段５９の抵抗６２を介してコンデンサ６３に入力し、このコンデンサ６３で充電される。その後、この充電により抵抗６２とコンデンサ６３の接続点の電位が所定値に達するとトランジスタ６０がオンし、これ以降、整流平滑回路２７の出力が抵抗６１を介して発光ダイオード６４〜６７に供給され、発光ダイオード６４〜６７が点灯される。
【００５２】
これにより、ＬＥＤモジュール５６に過電流が流入することがあっても、この過電流は、コンデンサ６３への充電により吸収されるので、発光ダイオード６４〜６７への過電流が抑制され、これら発光ダイオード６４〜６７を過電流から確実に保護することができる。
（変形例）
【００５３】
図８は、第１の実施の形態の変形例の概略構成を示すものである。
【００５４】
この場合、整流平滑回路２７の平滑コンデンサ２６の一方端には過電流抑制手段６８を介して出力端子７３、他方端には、電流検出部３２を介して出力端子７４が接続されている。この出力端子７３，７４には、ＬＥＤモジュール７５の入力端子７６，７７を介して発光ダイオード７８〜８１が接続されている。過電流抑制手段６８は、平滑コンデンサ２６の一方端と出力端子７３との間に、抵抗７１とコンデンサ７２の直列回路が接続され、抵抗７１とコンデンサ７２の接続点にスイッチング素子であるトランジスタ６９のベースが接続されている。トランジスタ６９は、コレクタが平滑コンデンサ２６の一方端に接続され、エミッタが抵抗７０を介して出力端子７３に接続されている。
【００５５】
このようにしても、過電流が発生し過電流抑制手段６８に流入すると、この過電流は、抵抗７１を介してコンデンサ７２に入力し、このコンデンサ７２で充電される。その後、この充電により抵抗７１とコンデンサ７２の接続点の電位が所定の値に達するとトランジスタ６９がオンし、これ以降、整流平滑回路２７の出力が抵抗７０を介して発光ダイオード７８〜８１に供給され、発光ダイオード７８〜８１が点灯される。
【００５６】
したがって、このようにしても、ＬＥＤモジュール７５に過電流が流れようとしても、この過電流はコンデンサ７２への充電により吸収されるので、発光ダイオード６４〜６７への過電流が抑制され、これら発光ダイオード６４〜６７を過電流から確実に保護することができる。
【００５７】
なお、本発明は、上記参考例及び実施の形態に限定されるものでなく、実施段階では、その要旨を変更しない範囲で種々変形することが可能である。例えば、上述した実施の形態では、平滑用コンデンサ１３の高調波電流成分に対応する容量は、高調波電流規格を満足するような容量としたが、これに限定されるものでなく、所望の高調波電流成分に対応することができるように設定された要領であれば良い。また、上述した実施の形態では、発光ダイオード２４〜２７に流れる電流を常に一定にするように制御する定電流制御について述べたが、これに限らず、発光ダイオードに印加する電圧を常に一定にするように制御する定電圧制御を適用したものでもよい。さらに、上述した実施の形態では、半導体発光素子として発光ダイオードの例を述べたが、レーザダイオードなど他の半導体発光素子を用いた場合にも適用できる。さらに、上述した実施の形態では、過電圧の原因を雷サージの場合で述べたが、他の原因により過電圧が発生する場合も適用することができる。また、過電流についても、ＬＥＤモジュールの電源装置へ接続する場合に限らず、他の原因により過電流が発生する場合も適用することができる。
【００５８】
さらに、上記参考例及び実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【符号の説明】
【００５９】
１…器具本体、２…光源部、２ａ…ＬＥＤ、３…電源室、５…電源端子室、１１…交流電源、１２…全波整流回路、１３…コンデンサ、１７、３６，４３…過電圧吸収手段、２３…スイッチングトランス、２４…スイッチングトランジスタ、２７…整流平滑回路、２８〜３１、６４〜６７、７８〜８１…発光ダイオード、３２…電流検出部、３３…制御回路、５９、６８…過電流抑制手段
【図１】
2012165642.tif 000003
【図２】
2012165642.tif 000004
【図３】
2012165642.tif 000005
【図４】
2012165642.tif 000006
【図５】
2012165642.tif 000007
【図６】
2012165642.tif 000008
【図７】
2012165642.tif 000009
【図８】
2012165642.tif 000010